(57)【要約】【課題】  原稿自動給紙装置（ＡＤＦ）の積載（スタック）枚数が多いときでもジャムの発生が低減でき、また、記録紙のスタック枚数が多いとき、原稿に与えていたダメージを軽減させる画像読み取り装置を提供する。【解決手段】  原稿自動給紙装置を使用して原稿１１が密着イメージセンサ１２で読み込まれかつ排出されて排紙トレイ１８に積層される画像読み取り装置において、逆転動作が始まる前に前記排出された原稿１１を上から押える押さえ手段２０を有する。【選択図】  図１
2005184678.tif 000002
【特許請求の範囲】
【請求項１】
原稿セット台にセットした原稿をピックアップローラによって給紙して搬送する過程で密着イメージセンサで原稿を読み込んでから排紙ローラによって原稿排紙トレイに排紙して積載すると共に、ピックアップローラと排紙ローラとがモータによって連動されている画像読み取り装置において、モータの逆転動作が始まる前に原稿排紙トレイ上に排出された原稿を上から押える押さえ手段を有することを特徴とする画像読み取り装置。
【請求項２】
前記押さえ手段は、原稿を下方へ押圧して排紙ローラが逆転する際に巻き込まれることを防止する押さえ棒であることを特徴とする請求項１記載の画像読み取り装置。
【請求項３】
前記押さえ手段は、シャッタ形状の巻き込み防止部材であり、排紙ローラが逆転する際に該巻き込み防止部材が排紙ローラによる排紙経路を塞ぐ位置に突出することにより原稿が排出ローラに巻き込まれないように構成されていることを特徴とする請求項１記載の画像読み取り装置。
【請求項４】
前記原稿排紙トレイの直下に記録紙排紙トレイが配置されている場合に、記録紙、或いは原稿に対する冷却を行う冷却用手段を配置したことを特徴とする請求項１、２又は３に記載の画像読み取り装置。
【発明の詳細な説明】
【技術分野】
【０００１】
本発明は、ファクシミリなどの画像形成装置に関し、詳しくは、原稿を読み込む構成を備えた全ての画像読み取り装置に関するものである。
【背景技術】
【０００２】
ファクシミリ装置などの画像形成装置においては、現在、記録用転写紙にトナー印字させて熱定着させる方法が採用されている（例えば、特許文献１および２参照）。
図４は従来の画像形成装置の一例としてのファクシミリ装置を示す概略全体斜視図である。図５は図４のファクシミリ装置の背面部分を示す斜視図である。図４の上方部分には操作パネル２が配置され、その操作パネル２の右方には原稿搬送スタートボタン３がある。また、図５には解除カバー２４が示してある。
図６は図４のファクシミリ装置における原稿搬送を簡単に説明する概略斜視図である。図７はピックアップローラ周辺の構成を示す概略斜視図である。図８はピックアップローラ周辺の構成とスキャナモータを示す概略斜視図である。図９はＡＤＦ（原稿自動給紙）装置と密着イメージセンサ周辺の構成を示す概略図である。
図４ないし図９において、まず原稿１１を原稿テーブル１９と原稿台に載せ原稿を原稿搬送入口に挿入するとＳ１センサ１がオンして原稿セットを検知する。
次に操作パネル２の原稿搬送スタートボタン３を押すと原稿１１を搬送するためにスキャナモータ（ＴＸ）１０が正転してピックアップローラ４が上昇して原稿を給紙する。
給紙された際に、複数枚の原稿１１が重送している場合には、フィードコロ８とゴムからなる分離パッド９とのニップ位置で摩擦分離され、最下原稿１１だけを搬送し、Ｒ１ローラ５、１４に送る。
Ｒ１ローラ５、１４は原稿搬送の副走査方向のタイミングに同期してＳ２センサ７（原稿１１の先端を検知）がオンして密着イメージセンサ１２のＬＥＤランプが点灯する。
密着イメージセンサ１２に対向するホワイトローラ１３によって白基準のシェーディング補正用の信号を得て原稿１１を搬送し密着イメージセンサ１２、ホワイトローラ１３に送る。
原稿１１が密着イメージセンサ１２上を通過する際、ＬＥＤランプにより照射された反射光によって画像読み取りが行われるのでホワイトローラ１３において原稿面を平坦にするためにホワイトローラ１３側から圧力をかけて排紙ローラ６、１５に搬送する。
排紙ローラ６、１５では、密着イメージセンサ１２で読み込まれた原稿を原稿排紙トレイ１８に排出する。一連の動作後に上昇させたピックアップローラ４を通常の位置（下方向）に戻すため、スキャナモータ（ＴＸ）１０を逆転させてピックアップローラ４を戻す。
そのときに巻き込み防止で排紙ローラ６、１５の横に蹴り出し（スポンジ等の凹凸形状）６ａを使用しているが、満載時には機能しなくなる。図６ないし図９では原稿の流れが左から右になっている。
【特許文献１】特開２００２−２１１８２５公報
【特許文献２】特開平１１−２５５３９３号公報
【発明の開示】
【発明が解決しようとする課題】
【０００３】
しかし、最近では、市場のニーズに対応するために、高画質化、スペックアップ（紙の印字が早いもの）を要求される事が多くなってきている。原稿読み込みについても同様で、原稿自動給紙装置（ＡＤＦ）の積載枚数も増えてきている。そこで原稿を密着イメージセンサに読み込ませ、排紙することについて記載する。
装置の少スペース化の結果、排出後の原稿と記録紙は上下方向で隣合せとなるケースが多い。即ち、装置本体の同一側面に上下位置関係で、原稿排紙口と、記録紙排紙口が近接配置されると共に、各排紙口に設けた排紙トレイ間の間隔が狭くなる。この場合には、原稿排紙トレイの直下に位置する記録紙排紙トレイ上の記録紙からの熱、湿気等が直上に位置する原稿にダメージを与えることがある。また、原稿排紙後にピックアップローラを初期位置に退避させるためにモータを逆転動作させると、ピックアップローラと連動する排紙ローラまで逆転するため、排紙ローラ近傍に位置する原稿を排紙ローラがくわえてしまいジャムが発生する。
そこで本発明の目的は、この問題を解消するために、原稿自動給紙装置（ＡＤＦ）における原稿排紙トレイ上の原稿積載（スタック）枚数が多いときでも、排紙ローラの逆転による原稿の巻き込み、ジャムの発生が低減でき、また、下側に位置する記録紙排紙トレイ上のスタック枚数が多いとき、直上の原稿排紙トレイ上の原稿に与えることがあったダメージを軽減させる画像読み取り装置を提供することにある。
【課題を解決するための手段】
【０００４】
上記の課題を解決するために、請求項１に記載の発明は、原稿セット台にセットした原稿をピックアップローラによって給紙して搬送する過程で密着イメージセンサで原稿を読み込んでから排紙ローラによって原稿排紙トレイに排紙して積載すると共に、ピックアップローラと排紙ローラとがモータによって連動されている画像読み取り装置において、モータの逆転動作が始まる前に原稿排紙トレイ上に排出された原稿を上から押える押さえ手段を有することを特徴とする。
請求項２の発明は、請求項１において、前記押さえ手段は、原稿を下方へ押圧して排紙ローラが逆転する際に巻き込まれることを防止する押さえ棒であることを特徴とする。
請求項３の発明は、請求項１において、前記押さえ手段は、シャッタ形状の巻き込み防止部材であり、排紙ローラが逆転する際に該巻き込み防止部材が排紙ローラによる排紙経路を塞ぐ位置に突出することにより原稿が排出ローラに巻き込まれないように構成されていることを特徴とする。
請求項４の発明は、請求項１、２又は３において、前記原稿排紙トレイの直下に記録紙排紙トレイが配置されている場合に、記録紙、或いは原稿に対する冷却を行う冷却用手段を配置したことを特徴とする。
【発明の効果】
【０００５】
本発明によれば、原稿自動給紙装置（ＡＤＦ）における原稿積載枚数が多い時でもジャムの発生が低減でき、また、記録紙のスタック枚数が多い時には、原稿にダメージをあたえていたが熱が上昇しないことにより、水滴等による原稿ダメージを軽減させることが可能となる。
【発明を実施するための最良の形態】
【０００６】
以下、図面を参照して、本発明の実施形態を詳細に説明する。図１は本発明の第１の実施の形態に係る原稿自動給紙装置近傍の構成を説明する概略図である。原稿自動給紙装置（ＡＤＦ）の分離部では、フィードコロ８とゴムの分離パッド９とのニップ位置において複数枚の原稿１１を摩擦分離する（詳細は従来技術の説明の図７参照）。なお、図４乃至図９の従来例の図面を併せて参照し、同一部分には同一符号を付す。
原稿自動給紙装置（ＡＤＦ）の原稿読み取り部Ａに摩擦分離された原稿を１枚通紙して密着イメージセンサ１２で読み込み、原稿を排紙ローラ６、１５で機外の原稿排紙トレイ１８上に排出する。
この給紙動作を原稿のセット枚数がなくなるまで実施して、最後の原稿を排出し終った後に原稿下面に接するために上昇位置にあったピックアップローラ４を下方に戻すためにスキャナモータ（ＴＸ）１０（詳細は従来技術の説明の図８参照）を逆転させる。
そのときに原稿セット台上での積載枚数が多いために、原稿読み取り終了によって原稿排紙トレイ１８が満載の状態になると、スキャナモータ（ＴＸ）１０を逆転させることによって排紙ローラ６も逆転して原稿１１をくわえ込み装置の中に戻してしまうことがある。
そのために本発明では、全ての原稿を原稿排紙トレイ１８上に排出した後、スキャナモータ（ＴＸ）１０を逆転させてピックアップモータを退避させる前に、原稿排紙トレイ１８上の原稿束の上面を上側から押え棒２０で下方向に押える。モータ、ソレノイド等を使用して押え棒２０を上下方向に進退、或いは回動させて原稿の上面を押さえ込み、原稿の排紙ローラ６、１５への巻き付きを防止する。
押え棒２０は、排紙ローラ６、１５が逆転開始する際に巻き込まれることを無くすために、押さえ込む。
【０００７】
図２は本発明の第２の実施の形態における原稿自動給紙装置近傍を説明する概略図である。上述と同様に、原稿自動給紙装置の分離部でフィードコロ８とゴムの分離パッド９とのニップ位置において重送状態にある原稿１１を摩擦分離し、原稿を１枚通紙して密着イメージセンサ１２で読込み原稿を排紙ローラ６、１５で外に排出する。
これを原稿のセット枚数がなくなるまで実施して、最後の原稿を排出し終った後に給紙のための上昇位置にあったピックアップローラ４（図７参照）を下方に戻すためにスキャナモータ（ＴＸ）１０を逆転させる。
そのときに積載枚数が多く、原稿排紙トレイ１８が満載になっており、且つカール原稿で上方向に曲がっているときは、原稿はスキャナモータ（ＴＸ）１０の逆転動作において排紙ローラ６、１５によって巻き込まれやすくなっている。
そのために、本実施形態では、排紙ローラ６、１５のすぐ外側にシャッタ形状の巻き込み防止部材２１を、上下動可能に設ける。一度熱定着した記録紙を原稿として使用する場合は、両端にカールが発生していることが多いが、巻き込み防止部材２１を作動させることにより、排紙ローラに巻き込まれることを無くすことができる。
シャッタとしての巻き込み防止部材２１は、モータ・ソレノイド等のオン・オフ機能で上下方向に動き、通常は搬送の邪魔をしない上側に固定し、スキャナモータ（ＴＸ）１０の逆転動作前にシャッタ形状の巻き込み防止部材２1が下降し、原稿が排紙ローラ６、１５に巻き付かないようにできる。下降時の位置は、例えば図２に示すように排紙ローラ６、１５のニップ部の外側を塞ぐような位置関係とする。
【０００８】
図３は本発明の第３の実施の形態における原稿自動給紙装置近傍を説明する概略図である。通常、原稿の読み込み動作をする際には記録紙側（画像記録部側）も動作して記録紙を搬送することで、記録紙にトナー印字させて熱定着ローラ２３で記録紙に熱を伝えて記録紙排紙トレイ１９上に排出している。
最近では連続して記録紙排紙を行なうと、記録紙の熱が上昇して原稿に水滴などが付着し原稿にダメージを与えてしまう。記録紙のスタック枚数が多くなり温度が上昇すると熱が上の方向に行き、原稿に熱を伝えてしまう。
その結果、最後の原稿の排出後にスキャナモータ（ＴＸ）１０の逆転動作時に排紙ローラ６、１５に巻き込まれてしまう。これにより水滴等が原稿に付着してダメージを与えてしまう。
これを回避するために原稿のスタック場所と記録紙のスタック場所の間にファン等の冷却効果のある装置を配置する。すなわち、温度を上昇させないためにファンモータ２２などの冷却性能を有する冷却用手段で温度を下げる。
市場においてもプリンタ機能を有するものにおいては、連続してプリントアウトさせるため、熱定着する装置においてはスタック時の記録紙が熱くなる。その影響で原稿も熱くなり、原稿にダメージが発生する記録紙のスタック枚数が多くなり、温度が上昇すると熱が上の方向に行き、原稿に熱を伝えてしまう。
本発明では、水滴等が原稿に付着してダメージを与えてしまうことを防止するために、原稿のスタック場所と記録紙のスタック場所の間にファン等の冷却効果のある冷却用手段２２を配置する。
【図面の簡単な説明】
【０００９】
【図１】本発明の第１の実施の形態における原稿自動給紙装置近傍を説明する概略図である。
【図２】本発明の第２の実施の形態における原稿自動給紙装置近傍を説明する概略図である。
【図３】本発明の第３の実施の形態における原稿自動給紙装置近傍を説明する概略図である。
【図４】従来の画像形成装置の例としてファクシミリ装置を示す概略全体斜視図である。
【図５】図４のファクシミリ装置の背面部分を示す斜視図である。
【図６】図４のファクシミリ装置における原稿搬送を簡単に説明する概略斜視図である。
【図７】ピックアップローラ周辺の構成を示す概略斜視図である。
【図８】ピックアップローラ周辺の構成とスキャナモータを示す概略斜視図である。
【図９】ＡＤＦ（原稿自動給紙）装置と密着イメージセンサ周辺の構成を示す概略図である。
【符号の説明】
【００１０】
１１  原稿
１２  密着イメージセンサ
２０  押さえ棒
２１  シャッタ形状の巻き込み防止部材
２２  冷却用手段（ファン、ファンモータ）
２３  定着ローラ
【図１】
2005184678.tif 000003
【図２】
2005184678.tif 000004
【図３】
2005184678.tif 000005
【図４】
2005184678.tif 000006
【図５】
2005184678.tif 000007
【図６】
2005184678.tif 000008
【図７】
2005184678.tif 000009
【図８】
2005184678.tif 000010
【図９】
2005184678.tif 000011